(57)【要約】【課題】  一台のカメラを停止または移動させながら、被写体をあらゆる角度から思うままに撮影することのできる撮影装置を提供すること。【解決手段】  平面視で横方向に伸びるＸＡレールと、該ＸＡレールに滑動可能に係合するＸＡ係合部を有するＸＡブロックと、該ＸＡブロックに滑動可能に係合するＹＡ係合部を有し平面視で縦方向に伸びるＹＡレールと、該ＹＡレールに取り付けられるカメラ担持部とから構成した。【選択図】図１
0003160147.tif 000002
【実用新案登録請求の範囲】
【請求項１】
平面視で横方向に伸びるＸＡレールと、該ＸＡレールに滑動可能に係合するＸＡ係合部を有するＸＡブロックと、該ＸＡブロックに滑動可能に係合するＹＡ係合部を有し平面視で縦方向に伸びるＹＡレールと、該ＹＡレールに取り付けられるカメラ担持部とから成る多角度撮影装置。
【請求項２】
ＸＡレール下面に支持脚取付部を設け、ＸＡレールとＸＡ係合部との係合またはＸＡブロックとＹＡ係合部との係合を、凹溝およびそれに遊嵌する突起とで構成したことを特徴とする請求項１に記載の多角度撮影装置。
【請求項３】
ＸＡブロックを上下二つに分割し、両ブロックを水平面内で旋回可能に結合したことを特徴とする請求項１および請求項２に記載の多角度撮影装置。
【請求項４】
平面視で弧状に伸びるＸＢレールと、該ＸＢレールに滑動可能に係合するＸＢ係合部を有するＸＢブロックと、該ＸＢブロックに滑動可能に係合するＹＢ係合部を有し平面視で前記ＸＢレールと交差する方向に伸びるＹＢレールと、該ＹＢレールに取り付けられるカメラ担持部とから成る多角度撮影装置。
【請求項５】
ＸＢレール下面に支持脚取付部を設け、ＸＢレールとＸＢ係合部との係合またはＸＢブロックとＹＢ係合部との係合を、凹溝およびそれに遊嵌する突起とで構成したことを特徴とする請求項３に記載の多角度撮影装置。
【請求項６】
ＸＢブロックを上下二つに分割し、両ブロックを水平面内で旋回可能に結合したことを特徴とする請求項４および請求項５に記載の多角度撮影装置。
【考案の詳細な説明】
【技術分野】
【０００１】  本考案は、一台のカメラを停止または移動させながら、被写体をあらゆる角度から思うままに撮影するときに使用される撮影装置に関する。
【背景技術】
【０００２】  被写体の静止画、動画を様々な角度から撮影する装置としては、特許文献１に示すように、複数台のカメラを用いて撮影する技術が知られている。しかし、この技術は、一台のカメラによる撮影に応用することはできないし、多数のカメラの配置や固定に大掛かりな装置ないし設備などが必要とされている。【０００３】  また、一台のカメラにより被写体を撮影する技術としては、図５に示すイギリスのＲｏｎｆｏｒｄ  Ｂａｋｅｒ社製のＲｏｎｆｏｒｄ  Ｓｌｉｄｅｒが知られているが、このものは、同図から容易に見て取れるように、スライドレール上をカメラ支持具が直線状に移動できるようになっているだけで、カメラの位置は直線状のスライドレールに沿った範囲内に限定されているから、被写体をあらゆる角度から思うままに撮影するということはできない。
【先行技術文献】
【特許文献】
【０００４】
【特許文献１】  特開２００４−２６４４９２号
【考案の概要】
【考案が解決しようとする課題】
【０００５】  本考案の技術課題は、上記先行技術が有する問題点を解決し、安価な製造費で、一台のカメラを停止または移動させながら、被写体をあらゆる角度から思うままに撮影することのできる撮影装置を提供することにある。
【課題を解決するための手段】
【０００６】  本考案は、カメラマンが、一台のカメラを平面視で横方向と縦方向のレールに沿い停止または移動させながら、被写体をあらゆる角度から思うままに撮影することができるようにするため、次の手段を採用した。
平面視で横方向に伸びるＸＡレールと、該ＸＡレールに滑動可能に係合するＸＡ係合部を有するＸＡブロックと、該ＸＡブロックに滑動可能に係合するＹＡ係合部を有し平面視で縦方向に伸びるＹＡレールと、該ＹＡレールに取り付けられるカメラ担持部とから構成した。【０００７】  本考案は、製造費を押さえ、かつ何処の撮影現場にも手軽に持ち込め容易に設置できるようにするため、次の手段を採用した。
ＸＡレール下面に支持脚取付部を設け、ＸＡレールとＸＡ係合部との係合またはＸＡブロックとＹＡ係合部との係合を、凹溝およびそれに遊嵌する突起とで構成した。【０００８】  本考案は、カメラが沿って誘導されるＸＡレールとＹＡレールとの角度を変えて、撮影範囲の自由度をさらに広げることができるようにするため、次の手段を採用した。
ＸＡブロックを上下二つに分割し、両ブロックを水平面内で旋回可能に結合した。【０００９】  本考案は、カメラマンが、一台のカメラを平面視で弧状に伸びるレールとそれと交差する方向に伸びるレールに沿って停止または移動させながら、被写体をあらゆる角度から思うままに撮影することができるようにするため、次の手段を採用した。
平面視で弧状に伸びるＸＢレールと、該ＸＢレールに滑動可能に係合するＸＢ係合部を有するＸＢブロックと、該ＸＢブロックに滑動可能に係合するＹＢ係合部を有し平面視で前記ＸＢレールと交差する方向に伸びるＹＢレールと、該ＹＢレールに取り付けられるカメラ担持部とから構成した。【００１０】  本考案は、製造費を押さえ、かつ何処の撮影現場にも手軽に持ち込め容易に設置でき、さらに、カメラを予め定められた弧に沿って移動させることができるようにするため、次の手段を採用した。
ＸＢレール下面に支持脚取付部を設け、ＸＢレールとＸＢ係合部との係合またはＸＢブロックとＹＢ係合部との係合を、凹溝およびそれに遊嵌する突起とで構成した。【００１１】  本考案は、カメラが沿って誘導されるＸＢレールとＹＢレールとの角度を変えて、撮影範囲の自由度をさらに広げることができるようにするため、次の手段を採用した。
ＸＢブロックを上下二つに分割し、両ブロックを水平面内で旋回可能に結合した。
【考案の効果】
【００１２】  請求項１に記載の本考案は、ＸＡレールとＹＡレールとが縦と横に交差して配設され、カメラ担持部はそのＹＡレールに取り付けられ滑動自在に動かせるようになっているから、カメラ担持部に載置したカメラは、前記ＸＡレールとＹＡレールに沿って誘導され、なんの制約もなく自由に停止させたり動かしたりすることができる。また、ＸＡレールとＹＡレールとカメラ担持部の３部品のみで構成されているから、大掛かりな装置ないし設備なども必要としない。【００１３】  ＸＡレールまたはＹＡレールの上の任意の位置でカメラ担持部を停止させれば、その各位置からの被写体の静止画が撮影できるし、一方のレール上の滑動を止め他方のレール上のみを任意のスピードで滑動させながら撮影すれば、他方のレールに沿った位置からの自由な連続撮影ができるし、各レール上を任意のスピードで滑動させながら撮影すれば、両方のレールに沿った位置からの自由な連続撮影ができる。
すなわち、本考案によれば、カメラマンや映画監督などの個性的な感性を十分に発揮した静止画や動画を、安定的に連続的に意のままに撮影することが可能となる。【００１４】  請求項２に記載の考案においては、ＸＡレール下面に支持脚取付部が設けられてあるから、そこに支持脚を取り付ければ、本考案の撮影装置を撮影現場の地勢状況に併せて安定的に設置することができる。
また、上記３部品の滑動（相対移動）は、凹溝とそれに遊嵌する突起とにより行われるようになっているから、全体の設計も製作も簡単にできる。そのため、全体の製造コストは低く押さえられる。【００１５】  請求項３に記載の考案においては、上下二つのブロックが水平面内で旋回できるようになっているから、被写体の状態またはカメラマンや映画監督などの撮影コンセプトに従い、ＸＡレールとＹＡレールとの角度を予め自由に設定しておくことができる。【００１６】  請求項４に記載の考案においては、上記請求項１に記載の考案と同様の効果が奏せられる上に、予め定めた弧状の軌道に沿ってカメラを移動させることができる。【００１７】  請求項５に記載の考案においては、平面視で弧状に伸びるＸＢレール下面に支持脚取付部が設けられてあるから、そこに支持脚を取り付ければ、本考案の撮影装置を撮影現場の地勢状況に併せて安定的に設置することができる。
また、上記３部品の滑動（相対移動）は、凹溝とそれに遊嵌する突起とにより行われるようになっているから、全体の設計も製作も簡単にできる。そのため、全体の製造コストは低く押さえられる。【００１８】  請求項６に記載の考案においては、平面視で弧状に伸びるＸＢレール上を上下二つに分割されたブロックが水平面内で旋回できるようになっているから、被写体の状態またはカメラマンや映画監督などの撮影コンセプトに従い、ＸＢレールとＹＢレールとの角度を予め自由に設定しておくことができる。
【図面の簡単な説明】
【００１９】  図１は、請求項１および請求項２に係る本考案の実施例の斜視図である。
図２（ａ）は、ＸＡレールの端部の実施例を下方から見た斜視図であり、（ｂ）は、ＸＡレールの実施例を上方から見た斜視図である。
図３（ａ）（ｂ）は、カメラ担持部の実施例であり、（ａ）はフルードヘッド、（ｂ）はフルードヘッド取付け用のハイハットとハイハット取付板の斜視図であり、（ｃ）は、ＸＡレール、ＸＡブロック、ＸＹレール三者の係合関係の実施例を示す斜視図である。
図４は、請求項４および請求項５に係る考案の実施例の概要を示す平面図である。
図５は、公知のＲｏｎｆｏｒｄ  Ｓｌｉｄｅｒの斜視図である。
【実施例】
【００２０】  図面の符号を用いて、本考案の実施例について説明する。
ＸＡレール１は、図面では２条になっているが、それは安定性を高めるためで、軽量のカメラを担持する場合などは１条で良い。また、ＸＡレール１とＹＡレール５は、平面視で横方向と縦方向に伸びていれば良く、その交差角度は問わず、立面視での形状も問わない。すなわち、立体的な形となっていても構わない。しかし、平面的な形状にしたほうが設計や製作が簡単になる。
なお、ＸＡレール１の端部の２２は、ＸＡブロック３の行き過ぎを阻止するＸＡブロック３のストッパーである。【００２１】  ＸＡレール１の下面には支持脚取付部７が設けられるが、支持脚は図１および図２（ｂ）に示すスライドレッグ１６とすることができる。スライドレッグ１６は、長穴１９を有し、図２（ａ）に示す取付ノブ１７を下方から前記長穴１９を貫いて支持脚取付部７のねじ穴１８にねじ込むことにより、支持脚取付部７に取り付けられる。【００２２】  スライドレッグ１６の上記の構造は、カメラが重く支持脚に偏加重がかかるときに、長穴１９を貫く取付ノブ１７の位置を変え、カメラ担持部６を安定して保持するのに役立つ。
支持脚を汎用されている三脚とすることもできる。その取り付けには図２（ａ）に示すねじ穴２０などが用いられる。【００２３】  ＸＡ係合部２は、図３（ｃ）に詳記されているように、ＸＡレール１の突起に遊嵌する凹溝となっている。図示は省略したが、ＸＡ係合部２の方に突起を作り、ＸＡレール１の方にそれに遊嵌する凹溝を作るようにしても変わりはない。
ＸＡブロック３とそれに係合するＹＡ係合部の関係構造についても同様である。
なお、ＹＡレール５の端部に設けられた２１は、ＹＡレール５の行き過ぎを阻止するゴム製のストッパーである。【００２４】  カメラ担持部６は、図示の例においては、フルードヘッド１３とハイハット１４とハイハット取付板１５とから形成されている。フルードヘッド１３はフルードヘッド取付ノブ２４によりハイハット１４に取り付けられ、ハイハット１４はビスによりハイハット取付板１５に取り付けられ、ハイハット取付板１５はその透孔２５を介してＹＡレール１の上面の複数のジョイント穴２３に係合し固着されるようになっている。
ジョイント穴２３を複数にしたのは、カメラと被写体との距離を暫定的に固定したり、カメラが重くＹＡレール１に偏加重がかかるときに、その位置を変えてカメラ担持部６を安定的に保持したりするためである。【００２５】  図４は、カメラ担持部６を最も被写体に近付けたとした（すなわち、ＹＢレール１２の、被写体に最も近いジョイント穴２３にカメラ担持部６を取り付けるようにした）場合における、請求項４および請求項５に係る考案の実施例を示したものである。
図示はされていないが、カメラ担持部６を最も被写体から遠ざけてＸＢレールの外方に位置させることもできるのは、いうまでもない。
図では、ＸＢレール８が平面視で閉じた形の円弧状になっているが、他の弧状になっていても、また、閉じた形ではなく、二つの端部が形成される形になっていても良いことは勿論である。【００２６】  ＸＢレール８は平面視で弧状に伸び、ＹＢレール１２は平面視でそれと交差する方向に伸びていさえすれば良く、立面視での形状は問わない。すなわち、立体的な形となっていても構わない。要は、カメラ担持部６が被写体の状態またはカメラマンや映画監督などの撮影コンセプトに従った特定の移動経路をとることができるような形状に予めしておくことである。
その他の点については、請求項１および請求項２に係る考案の実施例について上述したところを類推適用できるので、それらについてのさらなる説明は省略する。【００２７】  ＸＡブロック３は、上下二つに分割されるが、図示を省略するが、分割された上のブロックには、ＹＡ係合部４が係合でき、下のブロックにはＸＡ係合部２が付いているように分割する。両ブロックは水平面内で旋回できるようになっていいれば良く、その結合手段は問わない。
ＸＢブロック１０についても、図示は省略するが、同様の構成にする。
【符号の説明】
【００２８】１    ＸＡレール
２    ＸＡ係合部
３    ＸＡブロック
４    ＹＡ係合部
５    ＹＡレール
６    カメラ担持部
７    支持脚取付部
８    ＸＢレール
９    ＸＢ係合部
１０  ＸＢブロック
１１  ＹＢ係合部
１２  ＹＢレール
１３  フルードヘッド
１４  ハイハット
１５  ハイハット取付板
１６  スライドレッグ
１７  取付ノブ
１８  ねじ穴
１９  長穴
２０  ねじ穴
２１  ＹＡレールのストッパー
２２  ＸＡブロックのストッパー
２３  ジョイント穴
２４  フルードヘッド取付ノブ
２５  透孔
【図１】
0003160147.tif 000003
【図５】
0003160147.tif 000004
【図３】
0003160147.tif 000005
【図２】
0003160147.tif 000006
【図４】
0003160147.tif 000007
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
平面視で横方向に伸びるＸＡレールと、該ＸＡレールに滑動可能に係合するＸＡ係合部を有するＸＡブロックと、該ＸＡブロックに滑動可能に係合するＹＡ係合部を有し平面視で縦方向に伸びるＹＡレールと、該ＹＡレールに取り付けられるカメラ担持部とから成る多角度撮影装置。
【請求項２】
ＸＡレール下面に支持脚取付部を設け、ＸＡレールとＸＡ係合部との係合またはＸＡブロックとＹＡ係合部との係合を、凹溝およびそれに遊嵌する突起とで構成したことを特徴とする請求項１に記載の多角度撮影装置。
【請求項３】
ＸＡブロックを上下二つに分割し、両ブロックを水平面内で旋回可能に結合したことを特徴とする請求項１または請求項２に記載の多角度撮影装置。
【請求項４】
平面視で弧状に伸びるＸＢレールと、該ＸＢレールに滑動可能に係合するＸＢ係合部を有するＸＢブロックと、該ＸＢブロックに滑動可能に係合するＹＢ係合部を有し平面視で前記ＸＢレールと交差する方向に伸びるＹＢレールと、該ＹＢレールに取り付けられるカメラ担持部とから成る多角度撮影装置。
【請求項５】
ＸＢレール下面に支持脚取付部を設け、ＸＢレールとＸＢ係合部との係合またはＸＢブロックとＹＢ係合部との係合を、凹溝およびそれに遊嵌する突起とで構成したことを特徴とする請求項４に記載の多角度撮影装置。
【請求項６】
ＸＢブロックを上下二つに分割し、両ブロックを水平面内で旋回可能に結合したことを特徴とする請求項４または請求項５に記載の多角度撮影装置。
【手続補正２】
【補正対象書類名】明細書
【補正対象項目名】００１９
【補正方法】変更
【補正の内容】
【００１９】
【図１】  請求項１および請求項２に係る本考案の実施例の斜視図である。
【図２】  （ａ）は、ＸＡレールの端部の実施例を下方から見た斜視図であり、（ｂ）は、ＸＡレールの実施例を上方から見た斜視図である。
【図３】  （ａ）（ｂ）は、カメラ担持部の実施例であり、（ａ）はフルードヘッド、（ｂ）はフルードヘッド取付け用のハイハットとハイハット取付板の斜視図であり、（ｃ）は、ＸＡレール、ＸＡブロック、ＹＡレール三者の係合関係の実施例を示す斜視図である。
【図４】  請求項４および請求項５に係る考案の実施例の概要を示す平面図である。
【図５】  公知のＲｏｎｆｏｒｄ  Ｓｌｉｄｅｒの斜視図である。